【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
ニアフィールド通信（ＮＦＣ）のために信号を整形するための方法であって、
複数のビットパターンを記憶することと、
前記複数のビットパターンのうちの第１のビットパターンを選択することと、
前記複数のビットパターンのうちの第２のビットパターンを選択することと、
前記第１のビットパターンと前記第２のビットパターンとの間の差に基づいてキャリア周波数においてパルス幅変調信号を生成することとを備え、
前記第１および第２のビットパターンは、漸進的遷移を有するよう前記パルス幅変調信号を整形するために選択される、方法。
【請求項２】
選択された前記第１のビットパターンに対応する第１の信号を生成することと、選択された前記第２のビットパターンに対応する第２の信号を生成することとをさらに備え、ここにおいて、パルス幅変調信号を生成することが、前記第１の信号と前記第２の信号とを増幅器に入力することを備え、ここにおいて、前記パルス幅変調信号が前記増幅器からの出力信号である、請求項１に記載の方法。
【請求項３】
前記パルス幅変調信号のより高次の高調波をフィルタすることと、
ニアフィールド通信（ＮＦＣ）送信信号を生成することと
をさらに備える、請求項１に記載の方法。
【請求項４】
各プロトコル、変調インデックス、およびデータレート組合せについて、低減されたより高次の高調波をもつ前記パルス幅変調信号を生成する増幅器への入力を形成する第１および第２のビットパターンを前記複数のビットパターンから選択することをさらに備える、請求項２に記載の方法。
【請求項５】
前記ニアフィールド通信（ＮＦＣ）送信信号を送信することをさらに備える、請求項３に記載の方法。
【請求項６】
位相ステップのＮ要素シーケンスを定義することと、ここにおいて、Ｎが２を超え、ここにおいて、第１の要素が第１の位相に対応し、第Ｎ番目の要素が第２の位相に対応し、第２〜Ｎ−１の要素が、前記第１の位相から前記第２の位相への遷移における異なる位相ステップに対応し、前記第２〜Ｎ−１の要素は、前記第２の位相が前記第１の位相を超えるときに単調に増加し、前記第２〜Ｎ−１の要素は、前記第２の位相が前記第１の位相よりも小さいときに単調に減少する、
位相ステップの前記Ｎ要素シーケンスの各々について整形された信号を生成することと、ここにおいて、各位相ステップについて選択された前記第１のビットパターンと各位相ステップについて前記第２のビットパターンとが前記位相ステップに対応し、それにより、前記第１の位相から前記第２の位相への前記遷移におけるアンダーシュートとオーバーシュートの両方が低減する
をさらに備える、請求項１に記載の方法。
【請求項７】
位相ステップの前記Ｎ要素シーケンスが、３≦Ｎ≦３２となるような、整数個の位相ステップを含んでいる、請求項６に記載の方法。
【請求項８】
前記複数のビットパターンのうちの選択された前記第１のビットパターンは、送信コード化ビットが０であるか１であるかに基づいて選択され、前記複数のビットパターンのうちの選択された前記第２のビットパターンは、送信コード化ビットが０であるか１であるかに基づいて選択される、請求項１に記載の方法。
【請求項９】
前記キャリア周波数の各サイクルについて前記複数のビットパターンのうちの１つを選択することをさらに備える、請求項１に記載の方法。
【請求項１０】
前記複数のビットパターンが、第１の位相から第２の位相への遷移における異なる位相ステップに対応するビットパターンを含む、請求項１に記載の方法。
【請求項１１】
位相遷移におけるアンダーシュートとオーバーシュートの両方を低減するために、最初に、前記第１の位相に対応する前記複数のビットパターンのうちの１つを選択し、次いで、前記第１の位相から前記第２の位相への前記遷移における異なる位相ステップに対応する前記複数のビットパターンのうちの１つを選択し、最後に、前記第２の位相に対応する前記複数のビットパターンのうちの１つを選択することをさらに備える、請求項１０に記載の方法。
【請求項１２】
ニアフィールド通信（ＮＦＣ）のために信号を整形するためのデバイスであって、
複数のビットパターンを記憶するための手段と、
前記複数のビットパターンのうちの第１のビットパターンを選択するための手段と、
選択された前記第１のビットパターンに対応する第１の信号を生成するための手段と、
前記複数のビットパターンのうちの第２のビットパターンを選択するための手段と、
選択された前記第２のビットパターンに対応する第２を生成するための手段と、
第１の波形と第２の波形とに基づいてキャリア周波数においてパルス幅変調信号を生成するための手段とを備え、
前記第１のビットパターンを選択するための前記手段および第２のビットパターンを選択するための前記手段は、漸進的遷移を有するよう前記パルス幅変調信号を整形するために前記第１および第２のビットパターンを選択する、デバイス。
【請求項１３】
前記パルス幅変調信号のより高次の高調波をフィルタするための手段と、
前記フィルタされたパルス幅変調信号からニアフィールド通信送信信号を生成するための手段と
をさらに備える、請求項１２に記載のデバイス。
【請求項１４】
パルス幅変調信号を生成するための前記手段は、Ｄ級電力増幅器を備える、請求項１２に記載のデバイス。
【請求項１５】
実行されたとき、請求項１乃至１１のうちのいずれか１項に記載の方法をコンピュータに行わせる命令を備えるコンピュータ可読媒体。
【手続補正２】
【補正対象書類名】明細書
【補正対象項目名】００９２
【補正方法】変更
【補正の内容】
【００９２】
[0099]  上記で説明した実装形態の様々な修正は当業者には容易に明らかであり得、本明細書で定義した一般原理は、本出願の趣旨または範囲から逸脱することなく他の実装形態に適用され得る。したがって、本出願は、本明細書で示した実装形態に限定されるものではなく、本明細書で開示した原理および新規の特徴に一致する最も広い範囲を与えられるべきである。
以下に、出願当初の特許請求の範囲に記載された発明を付記する。
［Ｃ１］
複数のビットパターンを記憶するように構成されたメモリユニットと、
前記複数のビットパターンのうちの第１の選択された１つを使用して第１の信号を生成するように構成され、前記複数のビットパターンのうちの第２の選択された１つに対応する第２の信号を生成するように構成された第１の回路と、
前記第１の回路に結合され、前記第１の信号と前記第２の信号とに基づいてキャリア周波数においてパルス幅変調信号を生成するように構成された増幅器とを備えるワイヤレス通信のための装置。
［Ｃ２］
ニアフィールド通信（ＮＦＣ）送信信号を生成するために前記パルス幅変調信号のより高次の高調波をフィルタするように構成された第２の回路をさらに備える、Ｃ１に記載の装置。
［Ｃ３］
前記複数のビットパターンは、各プロトコル、変調インデックス、およびデータレート組合せについてより高次の高調波を低減するために前記パルス幅変調信号を整形するビットパターンを備える、Ｃ１に記載の装置。
［Ｃ４］
前記第２の回路に動作可能に結合された送信機をさらに備え、前記送信機が、前記ニアフィールド通信（ＮＦＣ）送信信号を送信するように構成された、Ｃ２に記載の装置。
［Ｃ５］
前記増幅器がＤ級電力増幅器である、Ｃ１に記載の装置。
［Ｃ６］
前記第２の回路が整合ネットワークフィルタである、Ｃ２に記載の装置。
［Ｃ７］
前記複数のビットパターンの各々が３２ビットを含んでいる、Ｃ３に記載の装置。
［Ｃ８］
前記複数のビットパターンのうちの前記第１の選択された１つは、送信コード化ビットが０であるか１であるかに基づいて選択され、前記複数のビットパターンのうちの前記第２の選択された１つは、送信コード化ビットが０であるか１であるかに基づいて選択される、Ｃ１に記載の装置。
［Ｃ９］
前記第１の回路が、前記キャリア周波数の各サイクルについて前記複数のビットパターンのうちの１つを選択するようにさらに構成された、Ｃ１に記載の装置。
［Ｃ１０］
前記複数のビットパターンが、５０％未満のデューティサイクルをもつ少なくとも１つのビットパターンを含む、複数の異なるデューティサイクルをもつビットパターンを含む、Ｃ１に記載の装置。
［Ｃ１１］
前記複数のビットパターンが、第１の位相から第２の位相への遷移における異なる位相ステップに対応するビットパターンを含む、Ｃ１に記載の装置。
［Ｃ１２］
前記第１の回路は、位相遷移におけるアンダーシュートとオーバーシュートの両方を低減するために、最初に、前記第１の位相に対応する前記複数のビットパターンのうちの１つを選択し、次いで、前記第１の位相から前記第２の位相への前記遷移における異なる位相ステップに対応する前記複数のビットパターンのうちの１つを選択し、最後に、前記第２の位相に対応する前記複数のビットパターンのうちの１つを選択するように構成された、Ｃ１１に記載の装置。
［Ｃ１３］
前記ニアフィールド通信（ＮＦＣ）送信信号が、１２８に分周されたキャリア周波数のデータレートおよび９０％〜１００％の変調インデックス、６４に分周されたキャリア周波数のデータレートおよび２５％〜１００％の変調インデックス、３２に分周されたキャリア周波数のデータレートおよび２５％〜１００％の変調インデックス、または１６に分周されたキャリア周波数のデータレートおよび２５％〜１００％の変調インデックスのうちの１つから選択された特性を有する、タイプＡプロキシミティニアフィールド通信（ＮＦＣ）信号になるように構成された、Ｃ１に記載の装置。
［Ｃ１４］
前記ニアフィールド通信（ＮＦＣ）送信信号が、８％〜１５％の変調インデックスと、１２８に分周されたキャリア周波数、６４に分周されたキャリア周波数、３２に分周されたキャリア周波数、または１６に分周されたキャリア周波数のうちの１つから選択されたデータレートとを有する、タイプＢプロキシミティニアフィールド通信信号になるように構成された、Ｃ１に記載の装置。
［Ｃ１５］
前記ニアフィールド通信（ＮＦＣ）送信信号、６４に分周されたキャリア周波数のデータレートおよび８％〜１４％の変調インデックス、または３２に分周されたキャリア周波数のデータレートおよび８％〜１４％の変調インデックスのうちの１つから選択された特性を有する、タイプＦプロキシミティニアフィールド通信信号になるように構成された、Ｃ１に記載の装置。
［Ｃ１６］
前記ニアフィールド通信（ＮＦＣ）送信信号が、５１２に分周されたキャリア周波数のデータレートおよび１０％〜１００％の変調インデックス、ならびに８１９２に分周されたキャリア周波数および１０％〜１００％の変調インデックスのうちの１つから選択された特性をもつ、ビシニティニアフィールド通信信号になるように構成された、Ｃ１に記載の装置。
［Ｃ１７］
ニアフィールド通信（ＮＦＣ）のために信号を整形するための方法であって、
複数のビットパターンを記憶することと、
前記複数のビットパターンのうちの第１のビットパターンを選択することと、
前記複数のビットパターンのうちの第２のビットパターンを選択することと、
前記第１のビットパターンと前記第２のビットパターンとの間の差に基づいてキャリア周波数においてパルス幅変調信号を生成することとを備える、整形された信号を生成することを備える、方法。
［Ｃ１８］
前記第１の選択されたビットパターンに対応する第１の信号を生成することと、前記第２の選択されたビットパターンに対応する第２の信号を生成することとをさらに備え、ここにおいて、パルス幅変調信号を生成することが、前記第１の信号と前記第２の信号とを増幅器に入力することを備え、ここにおいて、前記パルス幅変調信号が前記増幅器からの出力信号である、Ｃ１７に記載の方法。
［Ｃ１９］
前記パルス幅変調信号のより高次の高調波をフィルタすることと、
ニアフィールド通信（ＮＦＣ）送信信号を生成することとをさらに備える、Ｃ１７に記載の方法。
［Ｃ２０］
各プロトコル、変調インデックス、およびデータレート組合せについて、より高次の高調波を低減するために前記パルス幅変調信号を整形する前記複数のビットパターンから選択することをさらに備える、Ｃ１７に記載の方法。
［Ｃ２１］
前記ニアフィールド通信（ＮＦＣ）送信信号を送信することをさらに備える、Ｃ１９に記載の方法。
［Ｃ２２］
位相ステップのＮ要素シーケンスを定義することと、ここにおいて、Ｎが２を超え、ここにおいて、第１の要素が第１の位相に対応し、第Ｎ番目の要素が第２の位相に対応し、第２〜Ｎ−１の要素が、前記第１の位相から前記第２の位相への遷移における異なる位相ステップに対応し、前記第２〜Ｎ−１の要素は、前記第２の位相が前記第１の位相を超えるときに単調に増加し、前記第２〜Ｎ−１の要素は、前記第２の位相が前記第１の位相よりも小さいときに単調に減少する、
位相ステップの前記Ｎ要素シーケンスの各々について整形された信号を生成することと、ここにおいて、各位相ステップについて選択された前記第１のビットパターンと各位相ステップについて前記第２のビットパターンとが前記位相ステップに対応し、それにより、前記第１の位相から前記第２の位相への前記遷移におけるアンダーシュートとオーバーシュートの両方が低減するをさらに備える、Ｃ１７に記載の方法。
［Ｃ２３］
位相ステップの前記Ｎ要素シーケンスが、３≦Ｎ≦３２となるような、整数個の位相ステップを含んでいる、Ｃ２２に記載の方法。
［Ｃ２４］
ニアフィールド通信（ＮＦＣ）のために信号を整形するためのデバイスであって、
複数のビットパターンを記憶するための手段と、
前記複数のビットパターンのうちの第１のビットパターンを選択するための手段と、
前記第１の選択されたビットパターンに対応する第１の信号を生成するための手段と、
前記複数のビットパターンのうちの第２のビットパターンを選択するための手段と、
前記第２の選択されたビットパターンに対応する第２を生成するための手段と、
第１の波形と第２の波形とに基づいてキャリア周波数においてパルス幅変調信号を生成するための手段とを備える、信号生成器を備える、デバイス。
［Ｃ２５］
複数のビットパターンを記憶するための前記手段がメモリユニットを備え、第１のビットパターンを選択するための前記手段が第１の回路を備え、第１の信号を生成するための前記手段が前記第１の回路を備え、第２のビットパターンを選択するための前記手段が第１の回路を備え、第２の信号を生成するための前記手段が前記第１の回路を備え、パルス幅変調信号を生成するための前記手段が増幅器を備える、Ｃ２４に記載のデバイス。
［Ｃ２６］
前記パルス幅変調信号のより高次の高調波をフィルタするための手段と、
前記フィルタされたパルス幅変調信号からニアフィールド通信送信信号を生成するための手段とをさらに備える、Ｃ２４に記載のデバイス。
［Ｃ２７］
より高次の高調波をフィルタするための前記手段が第２の回路を備え、ニアフィールド通信送信信号を生成するための前記手段が前記第２の回路を備える、Ｃ２６に記載のデバイス。
［Ｃ２８］
実行されたとき、
メモリユニットによって複数のビットパターンを記憶することと、
第１の回路によって前記複数のビットパターンのうちの第１のビットパターンを選択することと、
第１の回路によって前記第１の選択されたビットパターンに対応する第１の信号を生成することと、
第１の回路によって前記複数のビットパターンのうちの第２のビットパターンを選択することと、
第１の回路によって前記第２の選択されたビットパターンに対応する第２の信号を生成することと、
増幅器によって前記第１の信号と前記第２の信号とに基づいてキャリア周波数においてパルス幅変調信号を生成することとを装置に行わせることによって、整形された信号を生成することを前記装置に行わせる命令を備える非一時的コンピュータ可読媒体。
［Ｃ２９］
実行されたとき、
第２の回路によって前記パルス幅変調信号のより高次の高調波をフィルタすることと、
前記第２の回路によってニアフィールド通信（ＮＦＣ）送信信号を生成することとを装置に行わせる命令をさらに備える、Ｃ２８に記載の非一時的コンピュータ可読媒体。
［Ｃ３０］
複数のビットパターンを記憶するように構成されたメモリユニットと、
前記複数のビットパターンのうちの第１の選択された１つに対応する第１の信号を生成するように構成され、前記複数のビットパターンのうちの第２の選択された１つに対応する第２の信号を生成するように構成された回路と、
前記回路に結合され、前記第１の信号と前記第２の信号とに基づいてキャリア周波数においてパルス幅変調信号を生成するように構成された増幅器とを備える、ワイヤレス通信のためのプロセッサ。